(57)【要約】      （修正有）【課題】より組み立てやすく視度調整が無段階で、なおかつ安定したダイヤルトルクを持つＥＶＦを提供する。【解決手段】本発明のＥＶＦは裏面がフラットで内部側面に複数のリブをもつ視度調整ダイヤル５と、視度調整ダイヤルに側圧をかける板バネ６と、側圧によって視度調整ダイヤルのリブと接触する円周リブを持つ本体ケース３と、本体と爪嵌合できるのぞき窓４を具備する。【選択図】図４
2008187334.tif 000002
【特許請求の範囲】
【請求項１】
電子ビューファインダを有する撮像装置であって、
前記電子ビューファインダ内にその光軸方向に可動に構成されたレンズユニットと、
回動可能に設けられた視度調整ダイヤルと、
前記視度調整ダイヤルに対し、その回動軸とは略垂直な方向からの側圧を付加するダイヤル付勢手段と、
前記視度調整ダイヤル取り付け部に配置されたダイヤル擦動部とを有し、
前記レンズユニット上には第一連動部が、前記視度調整ダイヤル上には第二連動部が配置され、前記視度調整ダイヤルの回動動作にともない、前記第一連動部および第二連動部が連動することで、前記レンズユニットが光軸方向に平行移動し、
前記ダイヤル付勢手段は前記視度調整ダイヤルを前記ダイヤル擦動部に押し付ける方向に側圧を付加することを特徴とする撮像装置。
【請求項２】
前記視度調整ダイヤルはその外周半径よりも小さい寸法を半径とする円弧状の内面擦動部を有し、前記ダイヤル擦動部はその外周部の形状が、前記内面擦動部の半径よりも小さい寸法を半径とする円形形状であることを特徴とする請求項１に記載の撮像装置。
【請求項３】
前記内面擦動部には複数の突起部を有することを特徴とする請求項２に記載の撮像装置。
【請求項４】
前記ダイヤル擦動部はその外周部に複数の突起部を有することを特徴とする請求項２に記載の撮像装置。
【請求項５】
前記ダイヤル付勢手段は、板バネで構成されていることを特徴とする請求項１乃至４に記載の撮像装置。
【発明の詳細な説明】
【技術分野】
【０００１】
本発明は、視度調整可能なエレクトリック・ビュー・ファインダー装置（以下ＥＶＦと表記）を搭載したデジタルスチルカメラやビデオムービーなどに関する。
【背景技術】
【０００２】
デジタルスチルカメラやビデオムービー等において、ＥＶＦを搭載しているものが多い。ＥＶＦはレンズから入った光をＣＣＤなどの撮像素子で捕らえて画像データに変換し、ファインダーの液晶等の画像表示面に表示するものである。視野率がほぼ１００％で、撮影する画像そのものが見え、背面液晶では視認性の悪い太陽光下の明るい屋外などでも容易に画像を確認でき、省エネルギーであるため、特に高倍率ズーム機能を有するデジタルスチルカメラやビデオムービーに搭載されていることが多い。
【０００３】
そして、ＥＶＦは、近視や遠視、老眼などの人でも、裸眼でファインダーのピントが丁度合うように調整できる視度調整機構を有しているものが多い。視度調整の方法はＥＶＦ内のレンズユニットを前後に動かすことにより行うのが一般的である。
【０００４】
次に、従来のＥＶＦについて図を用いて説明する。図１はＥＶＦを搭載したデジタルスチルカメラの斜視図である。図１０は従来例におけるＥＶＦの構成を示す図、図１１は従来例におけるＥＶＦの分解図、図１２は従来例におけるＥＶＦの視度調整ダイヤルの裏側の詳細図であり、凹凸溝１０７-ｂが放射状に構成されている。この断面は図示したように頂部、谷部が交互に連続するような傾斜面で構成されている。
【０００５】
上記従来のＥＶＦは、図１１に示すように、視度調整ダイヤル１０７の裏側面に嵌合ピン１０７-aが配設され、嵌合ピン１０７-aは本体ケース穴部１０８を貫通し、レンズユニット嵌合溝１０１-ｂに挿入される構成となっている。ここで視度調整ダイヤル１０７を回転させることにより、レンズ部１０１-aは図１０の左右方向に移動可能となる。
【０００６】
また、ダイヤル取り付け部コイルバネ穴１０２−ａ（図１１）にはコイルバネ１０５が挿入され、さらにその上から鋼球１０６が装着され、視度調整ダイヤル１０７の裏面の凹凸溝１０７-ｂには鋼球１０６がコイルバネ１０５からの付勢力により押し付けられている。ここで、視度調整ダイヤル１０７を回動させると、その裏面に構成された頂部、谷部が交互に連続する傾斜面に対し、コイルバネ１０５により付勢された鋼球１０６が頂部を順次乗り越え、クリック力が発生し、離散的な位置でレンズユニット位置（視度）が固定される。
【０００７】
また、のぞき窓１０４は、ケースの立ち壁１０２-aに超音波溶着されている。
【０００８】
上記のような、視度調節機構を備えたＥＶＦについては特許文献１に開示されている。
【特許文献１】特開平６−７０２０５号公報
【発明の開示】
【発明が解決しようとする課題】
【０００９】
しかしながら、上記従来の手法では、ＥＶＦ組立て時にコイルバネ１０５と鋼球１０６を本体１０２に先に取り付け、視度調整ダイヤル１０７はコイルバネ１０５と鋼球１０６が目視できない状態で取り付けなければならず、さらに、目視できない状態で、レンズユニットの溝１０１-ｂに視度調整ダイヤルのピン１０７-aを、本体ケース穴部１０８を貫通したうえで挿入しなければならない。
【００１０】
また、クリック感を持たせることで、離散的な位置にしかレンズユニットの位置を固定できないため、ユーザーは、視度調整ダイヤル裏面の凹部で決定された視度に、自身の視度を合わせ込まなければならない。
【００１１】
さらに、コイルバネ１０５は、視度調整ダイヤル裏面の限られたスペースに収納されるため、長さ方向に自由高がなく、バネ定数が高くなるので少しの寸法ばらつきでも付勢力に差が生じ、安定したトルクが得られない。
【００１２】
また、従来構成では鋼球１０６と樹脂の摺動面があり、グリスによる摺動を必要とする。そのグリスは、温度変化による性質変化が著しく、外気温の変化によるトルクの変動を誘発する。
【００１３】
また、コイルバネ力は、視度調整ダイヤル１０７が抜ける方向に働くので、視度調整ダイヤル１０７はビス等の頑丈な抜け防止手段を必要とし、仮にビスで固定したとしても、コイルバネ力の影響で、ダイヤルを回すうちにビスが緩んでくる可能性もある。
【００１４】
また、のぞき窓１０４の取り付けにおいて、超音波溶着には溶着設備・治具と、多くの工数がかかる。さらに、内部絞り１０３は、ケースに立ち壁１０２-aを形成するために、ケース成型金型の抜き方向の関係上、内部絞り１０３をケース１０２と一体化できず、別部品になっている。等の課題があり、その解決が求められている。
【００１５】
そこで本発明は、上記の要望を満たすものであり、組立性の向上、工数の削減、無段階視度調整で安定したトルク管理、を実現できるＥＶＦを提供することを目的とする。
【課題を解決するための手段】
【００１６】
上記課題を解決するために、本発明のＥＶＦは、その光軸方向に可動に構成されたレンズユニットと、回動可能に設けられた視度調整ダイヤルと、前記視度調整ダイヤルに対し、その回動軸とは略垂直な方向からの側圧を付加するダイヤル付勢手段と、前記視度調整ダイヤル取り付け部に配置されたダイヤル擦動部とを具備している。
【００１７】
また、のぞき窓は爪嵌合によりワンタッチで取り付けられる構造にし、従来別パーツであった絞り部分を本体ケースと一体化する。
【発明の効果】
【００１８】
本発明のＥＶＦでは視度調整が無段階で、なおかつ安定したダイヤルトルクを持ち、部品点数と工数の削減、作業性の改善を図ることができる。
【発明を実施するための最良の形態】
【００１９】
本発明のＥＶＦを実施するための最良の形態について、図１〜８を用いて説明する。
【００２０】
（実施の形態１）
構成
まず組立方法を、図４を用いて説明する。図４の各部詳細は図６〜８に示す。
【００２１】
まず、レンズユニット２を本体ケース３に取り付ける。レンズユニット２を取り付ける際はレンズユニット嵌合溝２-ｂが上に来るようにし、突起部２-ｃを本体ケース溝部３-ｄ(図８)に合うように挿入する。突起部２-ｃおよび本体ケース溝部３-ｄの組み合わせは、図８からもわかるように下側にも同様に構成されている。
【００２２】
その後、のぞき窓４を爪嵌合で本体ケース３にとりつける。
【００２３】
次に板バネ６をとりつける。この際、第一の取手部６-aをつかんで、爪嵌合で取り付ける。
【００２４】
そして、視度調整ダイヤル５を取り付ける。視度調整ダイヤル５を取り付ける際は、板バネの第二の取手部６-ｂを持って板バネ６を一時的に図２左方向にたわませ、視度調整ダイヤル嵌合ピン５-ｂがレンズユニット嵌合溝２-ｂに入るように位置合わせをする。
【００２５】
２．本発明の内容
図１はＥＶＦを搭載したデジタルスチルカメラの斜視図である。図２は、本発明の実施の形態にかかるＥＶＦの構成を示す図であり、図３はその断面図、図４はその分解図である。図５は視度調整ダイヤルを取り付けた後の視度調整ダイヤル近傍の断面図、図６（a）は本体ケースの視度調整ダイヤル取り付け部の詳細図、図６（ｂ）は本体ケースの視度調整ダイヤル取り付け部と最奥端に押し込んだレンズユニットの位置関係を表す図である。図７は本発明の実施の形態1におけるＥＶＦの視度調整ダイヤル詳細図、図８は本発明の実施の形態1におけるＥＶＦの本体ケース詳細図である。
【００２６】
本発明のＥＶＦは、本体ケース３の視度調整ダイヤル取り付け部内周に円弧状の穴３-ｆが配置され、視度調整ダイヤル５上に設けられた視度調整ダイヤル嵌合ピン５-ｂの先端がこの円弧状の穴を貫通し、レンズユニット嵌合溝２-ｂにはまりこむ構成になっている。そして、視度調整ダイヤル５を回動させることで視度調整ダイヤル嵌合ピン５-ｂが移動し、それに連動してレンズユニット２が虚像光学軸に沿って図３の左右方向に移動する構成となっている。
【００２７】
本発明のＥＶＦの概要を図２〜８を用いて説明する。
【００２８】
本発明のＥＶＦは、板バネ６と、それに接触する視度調整ダイヤル５と本体ケース３を有し、成型品であるケース円周リブ３-ｂと成型品であるダイヤル内部のリブ５-aが複数箇所で線接触している。板バネ６により、視度調整ダイヤル５に側圧がかかることで、押圧部付近の複数箇所で、複数のリブ５-aの頂部とケース円周リブ３-ｂの外周との線接触によって摩擦が発生している。板バネ６は十分なはり長さをもちバネ定数が小さいのでバネ荷重の管理がしやすい。そのため、視度調整ダイヤル５にかかる側圧のばらつきを抑えることが可能となり、トルクが安定する。また、接触するリブの形状を変化させることによりトルクを微調整することも可能である。
【００２９】
またここで、視度調整ダイヤル５は板バネ６が摺動する外周面が平滑になっている。これによって視度調整は無段階になり、ユーザーは自身にとって最適な視度に調整することができる。
【００３０】
また、板バネ６は視度調整ダイヤル５取り付け部に隣接して位置する。これによって板バネ６は視度調整ダイヤル５に隠れることがないので視認性が良く1部品を1作業で取り付けられるため、作業性が良くなる。
【００３１】
また、板バネ６は第一の取手部６-aを有する。第一の取手部６-aは図２に示すごとく、板バネ６の端部を折り曲げることで構成されており、板バネ６のエッジが図２における前面側に現れないため、作業者は板バネ６を本体ケース３に挿入する時に板バネのかどに手が触れることなく、安全かつ容易に作業できるため、作業性が良くなる。同時にＥＶＦ周辺に構成される回路基板の配線を含むフレキシブル基板を傷つけることもなくなる。
【００３２】
また、板バネ６は第二の取手部６-ｂを有する。これによって、視度調整ダイヤル５を取り付けるために板バネ６を一時的にたわませる作業がしやすくなり、作業性が良くなる。
【００３３】
また、本体ケース３は突起３-ｃを有する。これは、図２において、視度調整ダイヤル５を組み込む際、板バネ６を図面左側にたわませるが、過剰にたわませすぎると、弾性限界を超えてしまい、視度調整ダイヤル５に適正な側圧を加える位置まで復帰しなることから設けられたものであり、これによって、板バネ６を一時的にたわませる時の過剰なたわみを防止することができ、作業ミスによる板バネ６の塑性変形を防止する。
【００３４】
また、本体ケース３はレンズユニット２を最奥に押し込んだ時に、レンズユニット突起部２-ｃの端面が本体ケース溝部３-ｄの最奥端に当接することで位置が決まり、このときの位置関係を示したものが図６（ｂ）であり、レンズユニット嵌合溝２-ｂが本体ケース穴部３−ｆ左端近傍（本体ケースガイド部３-eの近傍）に位置規制される構造である。この時、図７に示す視度調整ダイヤルガイドリブ５-ｃの端面が図６に示す本体ケースガイド部３-eの端面と当接する位相関係になっている。従って、視度調整ダイヤル５を本体に組み込む時には、組み込み方向外側からみて視度調整ダイヤル５を半時計方向に規制し、視度調整ダイヤルガイドリブ５-ｃをガイド３-eに沿って挿入させることにより、レンズユニット嵌合溝２-ｂが見えなくとも視度調整ダイヤル嵌合ピン５-ｂをレンズユニット嵌合溝２-ｂに容易に挿入でき、作業性が良くなる。
【００３５】
また、レンズユニット２の側面は平面で嵌合溝２-ｂはその側平面から段落ちしている(図４)。これによって、たとえ視度調整ダイヤル嵌合ピン５-ｂをレンズユニット嵌合溝２-ｂに挿入し損なっても、視度調整ダイヤル嵌合ピン５-ｂを任意の方向に回転させることで自然に溝に落とし入れることができるため、作業性が良くなる。図１１に示す従来のＥＶＦ装置においてはレンズユニット嵌合溝１０１−ｂはその外側にも段差があったため、視度調整ダイヤル１０７の位相合わせに失敗して視度調整ダイヤル嵌合ピン１０７−ａ先端が前記段差の外側に当接してしまうと、正しい位相に復帰させるのは非常に困難であった。
【００３６】
また、板バネ６はダイヤル押さえ部６-ｃを有する(図４)。本発明では視度調整ダイヤル５が抜ける方向に力が働かない構成のため、このダイヤル押さえ６-ｃで十分視度調整ダイヤル５の抜けを防止できる。よって、視度調整ダイヤル５のビス固定作業を廃止し、部品点数と工数を削減できる。
【００３７】
次に、本発明のＥＶＦは本体ケース３に凸部３-ｇがあり、その凸部に係止するかかり部４-aをもったのぞき窓４を有する。これにより、のぞき窓４は３箇所を、スナップフィットの原理によってワンタッチで本体ケース３に取り付けられる。この時のぞき窓４は突起部４-ｂによって本体ケースに内側から接しており、取り付け後にがたつくことはない。この関係は図３に示す断面図の右端部に示す。これにより超音波溶着の必要がなくなるため、溶着のための設備・治具や工数が削減できる。また、超音波溶着のための立ち壁を形成する必要がなくなるので、ケース成型金型のキャビ側とコア側を逆転し、従来別パーツであった絞り部分を本体ケースと一体化することで部品点数と工数の削減になる。
【００３８】
（実施の形態２）
以上のように本発明は実施の形態１によって実現可能である。しかし、本発明の実施の形態は他にも様々なものが考えられる。そこで、本発明の他の様々な実施の形態をまとめて、実施の形態２として以下に説明する。
【００３９】
本実施の形態１では、ケース円周リブ３-ｂと、成型品であるダイヤル内部のリブ５-aとを複数箇所で線接触させ摩擦力を発生させていた。しかしリブ５-aは必ずしも視度調整ダイヤル内部に具備する必要はなく、本体ケース円周リブ３-ｂの外周部に具備させても良い。
【００４０】
また、本実施の形態１では視度調整ダイヤル５の抜け防止のために、板バネ６のダイヤル押さえ部６-ｃを有していた。しかし、本発明の特性上、ダイヤル５は軽い固定で十分抜け防止ができるので、方法はこれには限らない。例えば、図９に示すように視度調整ダイヤル取り付け軸３-hをいくつかの係止可能な形状で構成しダイヤル５を本体ケース３にスナップフィットの原理で固定してもよい。
【００４１】
なお、本実施の形態１では、板バネ６を用い、成型品であるケース円周リブ３-ｂと、成型品であるダイヤル内部のリブ５-aとを複数箇所で線接触させ摩擦力を発生させていた。
成型品同士の接触のため摩擦が大きいので特に有効であるが、必ずしも成型品同士を接触させる必要はなく、その他の部材の接触で摩擦を発生させることも可能である。また、必ずしも線接触である必要や、リブで接触する必要はなく、それに準じる形状で摩擦を発生させることも可能である。
【産業上の利用可能性】
【００４２】
本発明では、トルクの安定した視度調整ダイヤルを持つＥＶＦを少ない部品点数と工数で組み立てることができるので、デジタルスチルカメラやビデオムービーに特に有効である。その他、光学機器でダイヤルを回すことでレンズを移動させる仕組みを持つものに有効である。
【図面の簡単な説明】
【００４３】
【図１】ＥＶＦを搭載したカメラの斜視図
【図２】本発明の実施の形態1におけるＥＶＦの構成を示す図
【図３】本発明の実施の形態1におけるＥＶＦの構成の断面図
【図４】本発明の実施の形態1におけるＥＶＦの分解図
【図５】本発明の実施の形態1におけるＥＶＦの視度調整ダイヤルを取り付けた後の視度調整ダイヤル近傍の断面図
【図６】（ａ）本発明の実施の形態1におけるＥＶＦ本体ケースの視度調整ダイヤル取り付け部詳細図（ｂ）本発明の実施の形態1におけるＥＶＦ本体ケースの視度調整ダイヤル取り付け部と、最奥端に押し込んだレンズユニットの位置関係を示す図
【図７】本発明の実施の形態1におけるＥＶＦの視度調整ダイヤル詳細図
【図８】本発明の実施の形態1におけるＥＶＦの本体ケース詳細図
【図９】本発明の実施の形態２におけるＥＶＦ取り付け軸の例を示す図
【図１０】従来例におけるＥＶＦの構成を示す図
【図１１】従来例におけるＥＶＦの分解図
【図１２】従来例におけるＥＶＦの視度調整ダイヤルの裏側の詳細図
【符号の説明】
【００４４】
２    レンズユニット
３    本体ケース
３−ｂ    本体ケース円周リブ
５    視度調整ダイヤル
５−ｂ    視度調整ダイヤル嵌合ピン
６    板バネ
【図１】
2008187334.tif 000003
【図２】
2008187334.tif 000004
【図３】
2008187334.tif 000005
【図４】
2008187334.tif 000006
【図５】
2008187334.tif 000007
【図６】
2008187334.tif 000008
【図７】
2008187334.tif 000009
【図８】
2008187334.tif 000010
【図９】
2008187334.tif 000011
【図１０】
2008187334.tif 000012
【図１１】
2008187334.tif 000013
【図１２】
2008187334.tif 000014